(57)【要約】【課題】  ハンドシャワーが着脱自在に支持されるホルダーを備えたハンドシャワー水栓において、ホルダーの高さを自由に調節できるようにする。【解決手段】  ハンドシャワー水栓Ａは、水栓本体１と、この水栓本体１に装着されるホルダー４と、このホルダー４に挿通され湯水が供給されるホース５と、このホース５先端に接続され前記ホルダー４に着脱自在に支持されるハンドシャワー６とを備え、前記ホルダー４は複数の部材７，８，９に分割され、各部材は連結部材１０,１０ａにより回動自在に結合された。【選択図】  図２
2005048529.tif 000002
【特許請求の範囲】
【請求項１】
水栓本体と、この水栓本体に装着されるホルダーと、このホルダーに挿通され湯水が供給されるホースと、このホース先端に接続され前記ホルダーに着脱自在に支持されるハンドシャワーとを備え、前記ホルダーは複数の部材に分割され、各部材は連結部材により回動自在に結合されたことを特徴とするハンドシャワー水栓。
【請求項２】
前記ホルダーは、水栓本体に装着される第１部材と、第２部材とが連結部材により回動自在に結合され、第２部材とハンドシャワーが支持される第３部材とが連結部材により回動自在に結合されたことを特徴とする請求項１に記載のハンドシャワー水栓。
【請求項３】
前記ホルダーは回動規制手段を備え、ホルダーの上下への回動範囲が規制されるように結合されたことを特徴とする請求項１又は２に記載のハンドシャワー水栓。
【発明の詳細な説明】
【技術分野】
【０００１】
本発明は、例えば流し台や洗面台等のカウンターに取り付けて使用されるハンドシャワー水栓に関するものである。
【背景技術】
【０００２】
従来、流し台や洗面台等のカウンターに取り付けて使用される水栓で、ハンドシャワーをホースと共にホルダーから引き出して広い範囲に吐水できるようにしたものとして特許文献１のものがある。この従来技術について図７により簡単に説明すると、水栓４５は流し台のカウンター４４に起立した状態で取り付けられており、水栓本体４６の外周にホルダー４７が回転自在に装着され、このホルダー４７は水栓本体４６の下方から斜め上方に向けて延びるもので、その先端にはハンドシャワー４８が着脱自在に支持され、ホルダー４７の内部及びカウンター４４の下部には、ハンドシャワー４８をホルダー４７より引き出して使用しても充分に足りるだけの長さのホース４９を収納している。そして、ハンドシャワー４８はホルダー４７に支持された状態、又はホルダー４７からホース４９と共に引き出して使用される。水栓本体４６の内部には湯と水の混合比率と流量とを調節する混合弁５０が収容され、この混合弁５０と連繋したレバー５１の操作により温度及び流量の調節された湯水は、ホース４９を介してハンドシャワー４８からシンク５２等へ向けて吐水されるものである。
【０００３】
【特許文献１】実公昭６０−２０６９５号公報
【発明の開示】
【発明が解決しようとする課題】
【０００４】
上記水栓は、ハンドシャワーをホースと共にホルダーから引き出すことで、広い範囲で湯水を吐水させることのできるものであり、ホースを備えていない一般的な吐水管と比較して使い勝手に優れるものであるが、ハンドシャワーをホースと共にホルダーから引き出したりホルダーに支持する場合に、ホルダーの高さ位置は決まっているため、使用者によりホルダーの位置が高すぎる場合、又は低すぎる場合があり、その高さを最適な位置に調節することができず、改善が望まれていた。
【０００５】
また、ハンドシャワーをホルダーに支持した状態で湯水を吐水する場合、ホルダーの高さ位置の調節を行なうことができないため、例えばハンドシャワーとシンクの底面とのスペースに大きな容器を置いて、この容器に対し湯水を入れようとしても、ハンドシャワーとシンクの底面とのスペースが狭く、容器をシンクに置くことができず、容器をハンドシャワーから離れた位置に置き、わざわざハンドシャワーをホルダーから引き出して、手に持った状態で湯水を吐水させる必要があり、操作性の改善が望まれていた。
【０００６】
この発明は、このような従来の技術に存在する問題点に着目したものであり、その目的は、ハンドシャワーが着脱自在に支持されるホルダーを備えたハンドシャワー水栓において、ホルダーの高さを自由に調節ができるようにするものである。
【課題を解決するための手段】
【０００７】
上記目的に達成するために、請求項１に記載の発明によるハンドシャワー水栓は、水栓本体と、この水栓本体に装着されるホルダーと、このホルダーに挿通され湯水が供給されるホースと、このホース先端に接続され前記ホルダーに着脱自在に支持されるハンドシャワーとを備え、前記ホルダーは複数の部材に分割され、各部材は連結部材により回動自在に結合されたものである。
【０００８】
請求項２では請求項１記載の発明によるハンドシャワー水栓において、前記ホルダーは水栓本体に装着される第１部材と、第２部材とが連結部材により回動自在に結合され、第２部材とハンドシャワーが支持される第３部材とが連結部材により回動自在に結合されたものである。
【０００９】
請求項３では請求項１または２記載の発明によるハンドシャワー水栓おいて、前記ホルダーは回転規制手段を備え、ホルダーの上下への回動範囲が規制されるように結合されたものである。
【発明の効果】
【００１０】
本発明は請求項１のハンドシャワー水栓によると、ホルダーの高さを自由に調節できるので、使用者の使い勝手がよいようにホルダーの高さを調節してハンドシャワーのホルダーへの支持及び引き出しを容易に行なうことができる。
【００１１】
請求項２のハンドシャワー水栓によると、ホルダーの高さ位置が調節されてもハンドシャワーはシンクに向けて正常に吐水することができる。
【００１２】
請求項３のハンドシャワー水栓によると、ホルダーは回転が規制されるので、ホルダーがレバーに当たることがなく、安全に使用できる。
【発明を実施するための最良の形態】
【００１３】
以下、本発明の実施例を図１乃至図６に基づいて詳細に説明する。
【実施例１】
【００１４】
本発明は図１に示すように、ハンドシャワー水栓Ａの水栓本体１が流し台又は洗面台に形成されたカウンターＢに起立された状態で固定される。水栓本体１の内部には固定板と可動板とを上下に重ね合わせた混合弁２が収容されており、この混合弁２と連繋したレバー３を上下又は左右に操作することで、湯水の吐水流量又は温度が調節される。
【００１５】
前記水栓本体１の外周にはホルダー４が上傾して左右方向へ回転自在に装着されており、このホルダー４の先端にはハンドシャワー６が引き出し自在に支持され、このハンドシャワー６はホルダー４の内部に挿通され前記混合弁２と連通するホース５が結合されており、ホルダー４に支持された状態、又はホルダー４からホース５と共に引き出して使用され、レバー３を吐水方向へ操作すれば、湯水をハンドシャワー６からシンクＣに向けて吐水可能となっている。
【００１６】
図２に示すように、前記ホルダー４は第１部材７と第２部材８と第３部材９とに分割されており、第１部材７は水栓本体１の外周面に回転自在に装着され、第３部材９はハンドシャワー６が着脱自在に支持されるものである。第１部材７と第２部材８とは連結部材１０により互いに回動自在に結合されており、第２部材８は第１部材７に対し上下に傾動可能であり、ホース５は水栓本体１の内部で混合弁２と連通し、ホルダー４の第１部材７、連結部材１０、第２部材８、第３部材９の内部を挿通してハンドシャワー６に結合される。
【００１７】
前記連結部材１０は図２及び図３に示すように、内部にホース５が挿通する挿通路１１が設けられ、一端の外周面には雄ねじ部１２が形成されている。そしてこの雄ねじ部１２は第１部材７の端部内周面に形成された雌ねじ部１３に螺着されることで、第１部材７に結合される。連結部材１０の他端には、前記雄ねじ部１２より大径としたボール部１４が形成されている。また、第２部材８の内部には、連結部材１０のボール部１４を回転自在に支持するためのシート１５が挿入されるものであり、第１部材７と向かい合う基端外周には雄ねじ部１６が形成され、この雄ねじ部１６に結合されるナット１７は内向きにフランジ１８が形成され、前記シート１５及び連結部材１０のボール部１４を重ね合わせ、第２部材８の基端に押さえつけた後に、ナット１７のフランジ１８とボール部１４との間にはリング１９を装着してナット１７を雄ねじ部１６に螺着させることで、連結部材１０により第２部材８は第１部材７に対し回転自在、即ち上下に高さ調節自在に結合させることができる。そして、ナット１７の端面１７ａと第１部材７の端面７ａとにより回転規制手段Ｄが構成され、ナット１７の端面１７ａが第１部材７の端面７ａに当接することで、第２部材８の上部への回転角度が規制され、第２部材８とレバー３とが同一軸線上に存在していても、第２部材８の外周面がレバー３に当たることがないようにしている。
【００１８】
ホルダー４はさらに第２部材８と第３部材９とに分割されており、前述の第１部材７と第２部材８と同様に、連結部材１０ａにより両部材は互いに回動転自在に結合されている。なお、連結部材１０ａによる第２部材８と第３部材９との結合構造は、前記第１部材７と第２部材８との結合構造と同一であるので、その説明は省略する。
【００１９】
前記ハンドシャワー６は内部で前記ホース５が接続され、先端にはホース５から供給される湯水の流路を切り替えるためのボタン２１が装着されており、このボタン２１の操作により、その先端下部に設けられた吐水口２２から吐水される湯水の吐水形態を、直流水又は散水等、複数の吐水形態から選択可能である。
【００２０】
図４に示すように、前記ホルダー４は第１部材７に対し第２部材８を上向きに回動させると、ハンドシャワー６を図２と比較して高い位置に変更することができるが、ハンドシャワー６は吐水口２２のシンクＣに対する向きが略垂直方向から傾斜方向へと変わり、吐水口２２から吐水される湯水の吐水方向が変わってしまい、シンクＣへ向けての吐水ができなくなる。この場合図５に示すように、ホルダーの第３部材９を第２部材８に対し下向きに回動させれば、吐水口２２の向きがシンクＣを向く方向に変わり、ハンドシャワー６のシンクＣに対する向きを変更することができ、吐水口２２からシンクＣに吐水される湯水の吐水方向が略垂直方向となるように調節することができる。
【００２１】
そして、ハンドシャワー６をホルダー４に支持した状態で、吐水口２２から湯水を吐水させることができる。また、図６に示すようにハンドシャワー６をホルダー４から引き出して、シンクＣの内部の広い範囲に湯水を吐水させることができる。この場合、ホルダー４は連結部材１０を中心にして第２部材８を下方向又は上方向に向ければ、その高さ位置を自由に調節でき、第２部材８を低い位置に調節しておけば、背の低い者が使用する場合にハンドシャワー６のホルダー４からの引き出し又は支持を容易に行なうことができる。なお、ハンドシャワー６とシンクＣとの間に容器を置き、容器の内部に湯水を入れようとしても、ハンドシャワー６とシンクＣとの間の空間が狭く、容器を入れられないことがあるが、図５に示すようにハンドシャワー６はホルダー４の連結部材１０を中心にして第２部材８を上方向に向ければ、ハンドシャワー６とシンクＣとの間隔が広くなり、容器を置くことができる。そして、ハンドシャワー６をホルダー４に支持した状態で、両手により容器を支え、容器に対し湯水を吐水することができる。
【００２２】
なお、本実施例ではホルダーは３つの部材に分割しているが、部材は複数個であればいくつでもよい。また、本実施例で示した連結部材による両部材の結合構造はあくまで一例であって、様々な形態に変更可能である。また、水栓本体は本実施例で示したシングルレバー式に限らず、サーモスタット式或いは２ハンドル式であってもよい。
【図面の簡単な説明】
【００２３】
【図１】本発明のハンドシャワー水栓をカウンターに固定した状態の斜視図である。
【図２】図１のハンドシャワー水栓の部分側断面図である。
【図３】図２のハンドシャワー水栓の要部拡大説明図である。
【図４】図２のハンドシャワー水栓において、ホルダーの第２部材を第１部材に対し上部へ回転させた状態の説明図である。
【図５】図４のハンドシャワー水栓において、ホルダーの第３部材を第２部材に対し回転させた状態の説明図である。
【図６】図５のハンドシャワー水栓において、ハンドシャワーをホルダーから引き出した状態の説明図である。
【図７】従来技術の説明図である。
【符号の説明】
【００２４】
１                水栓本体
４                ホルダー
５                ホース
６                ハンドシャワー
７                第１部材
８                第２部材
９                第３部材
１０,１０a        連結部材
Ａ                ハンドシャワー水栓
Ｄ                回動規制部材
【図１】
2005048529.tif 000003
【図２】
2005048529.tif 000004
【図３】
2005048529.tif 000005
【図４】
2005048529.tif 000006
【図５】
2005048529.tif 000007
【図６】
2005048529.tif 000008
【図７】
2005048529.tif 000009